(57)【特許請求の範囲】
【請求項１】
方立の室外側を向く前面に沿って上下に配置されたリブガラスを方立に支持させるためのリブガラスの支持構造において、
上記方立の前面部に載置部及びこの載置部とは別体である保持部が設けられ、
上記載置部に上記リブガラスの室内側の下端部が載置されることによって上記リブガラスが上記載置部を介して上記方立に支持され、
上記保持部には、その上面から下面まで貫通する収容部が形成され、
この収容部に、上記載置部、この載置部に載置された上記リブガラスの下端部、及び上記載置部に載置されたリブガラスに対し下側に隣接するリブガラスの上端部が挿入され、
上記リブガラスが上記収容部に室内外方向へ移動不能に挿入されていることを特徴とするリブガラスの支持構造。
【請求項２】
上記方立が、長手方向を上下方向に向けて配置された方立本体と、この方立本体の前面部に弾性部材を介して左右方向へ移動可能に連結された可動部材とを備え、上記載置部及び保持部が上記可動部材に設けられていることを特徴とする請求項１に記載のリブガラスの支持構造。
【発明の詳細な説明】
【０００１】
【発明の属する技術分野】
この発明は、リブガラスを支持するための支持構造に関する。
【０００２】
【従来の技術】
一般に、面ガラス（板ガラス）を外壁として用いた建築物においては、面ガラスが室外の負圧によって室外側に引っ張られる。そこで、面ガラスを補強するためにリブガラスが用いられている。リブガラスは、方立の室外側を向く前面部に支持されており、面ガラスに直接に又は他の部材を介して接している。したがって、面ガラスが室外の負圧によって室外側に引っ張られると、その引っ張り力をリブガラスが受け、さらにリブガラスを介して方立が受ける。これによって、面ガラスが補強されている。
【０００３】
従来、リブガラスを方立に支持させる場合には、方立の前面部に水平に延びるボルトを設け、このボルトをリブガラスに形成された貫通孔に挿通する。そして、ボルトに螺合されたナットを締め付けることにより、リブガラスを方立に固定するようにしていた。
【０００４】
【発明が解決しようとする課題】
上記従来の支持構造では、リブガラスにボルトを挿通するための貫通孔が形成されているため、リブガラスの強度が低下する。しかも、貫通孔の内周面にはリブガラスの自重がのみならず、室内の圧力による荷重がそれぞれボルトを介して作用する。このため、リブガラスとしては強度の高い強化ガラスが用いざるを得なかった。強化ガラスは高価であるため、建築物の製造費が高騰するという問題があった。
【０００５】
【課題を解決するための手段】
この発明は、強化ガラスのような高価なものでなく、フロートガラスのような安価なガラスをリブガラスとして用いることができるような支持構造を提供することを目的とするものであり、方立の室外側を向く前面に沿って上下に配置されリブガラスを方立に支持させるためのリブガラスの支持構造において、
上記方立の前面部に、上記リブガラスの下端部が載置される載置部を設けるとともに、上記リブガラスを室内側から室外側へ向って移動不能に保持する保持部を設けたことを特徴としている。
この場合、上記方立が、長手方向を上下方向に向けて配置された方立本体と、この方立本体の前面部に弾性部材を介して左右方向へ移動可能に連結された可動部材とを備え、上記載置部及び保持部が上記可動部材に設けられていることが。望ましい。上記保持部の内部には上記リブガラスの下端部及び載置部を収容する収容部が設けられていることが望ましい。
【０００６】
【発明の実施の形態】
以下、この発明の一実施の形態について図１〜図８を参照して説明する。
図１及び図２は、この発明に係るリブガラスの支持構造が採用された建築物を示す図であり、図１は当該建築物を室外Ｏ側から見た正面図、図２は側断面図である。図２において符号Ｆは躯体の床スラブであり、符号Ｃは天井である。
【０００７】
床スラブＦの室外Ｏ側の端部には、長手方向を上下に向けた方立１が設けられている。方立１は、床スラブＦから上方へ突出する上端部を除き、大部分が床スラブＦとその階下の天井Ｃとの間に配置され、居住空間からはほとんど見えない。したがって、方立１を大型にしても室内Ｉの美観を損ねたり、室内Ｉ側から室外Ｏ側への視界を妨げることがほとんどない。そこで、方立１としては、室内外方向における幅が広く、強度の高いものが用いられている。
【０００８】
図５及び図６に示すように、方立１は、固定部材１１、室内Ｉ側から室外Ｏ側へ向って順次配置された中間部材１２、可動部材１３および支持部材１４を有している。固定部材１１は、断面長方形の筒状をなすものであり、その長手方向を上下に向けて床スラブＦ（図２参照）に固定されている。中間部材１２は、固定部材１１の室外Ｏ側を向く前面に固定されている。固定部材１１と中間部材１２とによって方立本体が構成されている。
【０００９】
可動部材１３は、中間部材１２に弾性部材１５を介して左右方向へ所定範囲移動可能に連結されている。図８に示すように、可動部材１３の上下方向における中間部には、切欠き部１３ａが形成されている。この切欠き部１３ａの下方を向く面１３ｂは、中間部材１２に固定された支持駒１６に載置されている。これにより、可動部材１３が中間部材１２に下方へ移動不能に支持されている。
【００１０】
上記支持部材１４は、図５及び図６に示すように、可動部材１３に左右方向及び室内Ｉ側から室外Ｏ側へ向う方向へ移動不能に係合されている。支持部材１４は、可動部材１３に対して上下方向へは移動可能に係合しているが、図８に示すように、支持部材１４の上下方向における中間部には切欠き部１４ａが形成されており、切欠き１４ａの下方を向く面が支持駒１６に載置されている。したがって、支持部材１４は、可動部材１３と共に中間部材１２に下方へ移動不能に支持されている。
【００１１】
図２及び図３に示すように、方立１の上端部には、左右方向へ水平に延びる上横支持枠２が支持されている。また、図２及び図４に示すように、方立１の下端部には、左右方向へ水平に延びる下横支持枠３が配置されている。上横支持枠２及び下横支持枠３は、いずれもの前後方向における幅が方立１の中間部材１２、可動部材１３及び支持部材１４の前後方向における合計幅とほぼ同一になっている。
【００１２】
左右に隣接する二つの方立１，１と、この方立１，１の上下に設けられた上横支持枠２及び下横支持枠３とによって四角形の枠体が形成されている。そして、この四角形の枠体によって外壁となる面ガラス４が支持されている。この場合、面ガラス４の下端部は、図４に示すように、下横支持枠３によって支持されており、面ガラス４の上端部は、図３に示すように、上横支持枠２によって支持されている。面ガラス４の前面及び背面と上下の横支持枠２，３との各間には、シーリング材Ｓ１，Ｓ２が設けられている。図５及び図６に示すように、面ガラス４の左右の両側部は、支持部材１４の室外Ｏ側に形成された左右に突出する挟持板部１４ａと中間部材１２とによりシーリング材Ｓ１，Ｓ２を介して挟持されている。また、面ガラス４より室内Ｉ側には、耐火ボードＢが配置されており、この耐火ボードＢも方立１と上下の横支持枠２，３とによって構成される枠体によって支持されている。面ガラス４と耐火ボードＢとによって二重壁構造が構成されている。
【００１３】
図２〜図４及び図７に示すように、上下に隣接する二つの方立１，１のうち、下側の方立１の上端部に設けられた上横支持枠２と、上側の方立１の下端部に設けられた下横支持枠３との間には、縦支持枠５（図７参照）が設けられている。縦支持枠５は、上下の横支持枠２，３とほぼ同一の前後方向の幅を有し、横支持枠２，３と前後方向において同一位置に配置されている。したがって、縦支持枠５は、方立１の中間部材１２、可動部材１３及び支持部材１４と上下方向においてほぼ一直線上に並んでいる。
【００１４】
左右に隣接する二つの縦支持枠５，５とその上下に配置された横支持枠２，３とによって四角形の枠体が形成されており、この枠体によって外壁となる面ガラス６，６が支持されている。面ガラス６，６は、それらの間に密閉空間が形成されるよう、互いに若干離れ、かつ平行に配置されている。二つの面ガラス６，６のうち、外側の面ガラス６は、面ガラス４と室内外方向において同一位置に配置されている。面ガラス６は、１枚だけ設けられることもある。
【００１５】
図３に示すように、面ガラス６，６の下端部は上横支持枠２によって支持されており、図４に示すように、面ガラス６，６の上端部は下横支持枠３によって支持されている。面ガラス６，６間および各面ガラス６と上下の横支持枠２，３との各間には、シーリング材Ｓ３，Ｓ４，Ｓ５が配置されている。図７に示すように、面ガラス６，６の両側部は、縦支持枠５の室内Ｉ側に形成された断面四角形の筒上状をなす基部５１と、縦支持枠５の室外Ｏ側の端部に形成された左右に突出する挟持板部５２とにより、シーリング材Ｓ３，Ｓ４，Ｓ５を介して挟持されている。縦支持枠５の挟持板部５２は、方立１の挟持板部１４ａと室内外方向において同一位置に配置されている。
【００１６】
上記のように、縦支持枠５の室内外方向の幅は、方立１の中間部材１２、可動部材１３及び支持部材１４の室内外方向の合計幅とほぼ同一であり、方立１の全幅より固定部材１１の分だけより狭くなっている。これは、室内の居住空間を狭くしないようにし、かつ室内Ｉから室外Ｏを見たとき、特に斜めに見たときに視界を大きく狭めることがないようにするためである。しかし、縦支持枠５の室内外方向の幅を狭くすると、同方向における縦支持枠５の強度が方立１より大幅に低くなってしまう。このため、面ガラス６が室外Ｏの負圧によって室外Ｏ側へ引っ張られると、縦支持枠５の上下方向における中間部が室外Ｏ側へ膨出するように変形し、それに対応して面ガラス６の上下方向の中央部が室外Ｏ側へ向って膨出するように変形するおそれがある。そこで、面ガラス６を補強する必要があり、補強手段としてリブガラス７が用いられている。この場合、リブガラス７は、図５〜図７に示すように、２枚張り合わせて用いられているが、１枚だけ用いられることもある。
【００１７】
なお、室外Ｏの負圧による引っ張り力は、面ガラス６を介して上下の横支持枠２，３にも作用するが、面ガラス６の左右方向長さが上下方向の長さより短いので、面ガラス６の左右方向における中間部が室外Ｏ側へ膨出する点についてはほとんど問題になることがない。また、面ガラス４については、その上下左右の長さが短い上、両側部が方立１によって支持されているので、室外Ｏの負圧によって面ガラス４が室外Ｏ側へ膨出することはほとんどない。
【００１８】
リブガラス７は、次のようにして方立１に支持されている。図５及び図６に示すように、支持部材１４の室Ｏ側の端部には、室外Ｏ側に突出する突条１４ｂが形成されている。この突条１４ｂは、支持部材１４の上端から下端まで延びており、その上下方向の中間部には載置部材（載置部）８が固定されている。一方、リブガラス７は、その長手方向を上下方向に、幅方向を室内外方向に向けて配置されており、その下端面が載置部材８の上面に載置されている。したがって、リブガラス７の重量は、載置部材８を介して方立１に支持されている。
【００１９】
図３、図４及び図６に示すように、支持部材１４の挟持板部１４ａ、１４ａの室外Ｏ側を向く各前面には、室外Ｏ側へ突出する保持板部１４ｃがそれぞれ形成されている。二つの保持板部１４ｃ，１４ｃは、左右方向に互いに離れ、かつ互い平行に上下方向に延びている。二つの保持板部１４ｃ，１４ｃの左右方向の間隔は、２枚のリブガラス７，７の合計厚さとほぼ同一になっている。そして、保持板部１４ｃ，１４ｃ間にリブガラス７，７の室内Ｉ側の側部が嵌め込まれることにより、リブガラス７が方立１に左右方向へ移動不能に支持されている。
【００２０】
各保持板部１４ｃの上下方向における中間部には、切欠き部１４ｄが形成されている。この切欠き部１４ｄは、その上下方向のほぼ中央部に上記載置部材８が位置するように配置されている。切欠き部１４ｄには、保持部材（保持部）９の室内I側の端部が挿入されている。保持部材９は、図５に示すように、一対の保持半体９A,９Ｂを組み立てることによって形成されており、その左右方向の幅は、一対の保持板部１４c,14cの外側の間隔とほぼ同一になっている。そして、保持部材９の室内I側の側部が上記切欠き部１４ｄ,14dに硬質ゴム等からなるシーリング材Ｓ６を介して挿入されることにより、保持部材９が方立１の支持部材１４に上下方向へ移動不能に支持されている。しかも、保持部材９の室内I側の側部は、支持部材１４の突条１４ｂ及び挟持板部１４aに室内外方向及び左右方向へ移動不能に係合している。この結果、保持部材９は、支持部材１４と一体に挙動するようになっている。
【００２１】
保持部材９には、その上面から下面まで貫通する収容部９１が形成されている。この収容部９１には、載置部材８が収容されるとともに、この載置部８に載置されたリブガラス７，７の下端部、および載置部８の下側に配置されたリブガラス７，７の上端部が室内外方向及び左右方向へ移動不能に挿入されている。これにより、リブガラス７，７が保持部材９を介して方立１の支持部材１４に室内外方向及び左右方向へ移動不能に連結され、同方向に対しては支持部材１４と一体に挙動するようになっている。
【００２２】
リブガラス７は、突条１４ｂに固定された載置部材８の上面に載置されているので、縦支持枠５の挟持板部５２に対しては、突条１４ｂの突出量分だけ室外O側に離れているが、リブガラス７と縦支持枠５の挟持板部５２との間には、比較的硬質のゴム等からなるシーリング材S7が充填されている。したがって、リブガラス７は、面ガラス６に作用する室外Oの負圧を縦支持枠５の挟持板部５２及びシーリング材Ｓ７を介して支持しており、室外O側の負圧による荷重は、リブガラス７の保持部材９と接する室内I側及び室外O側の側面に作用している。なお、符号S8は、比較的軟質なシーリング材である。
【００２３】
リブガラス７に対する上記の支持構造によれば、リブガラス７の自重をその下面で受け、室外Ｏの負圧を側面で受けている。つまり、リブガラス７は、その自重と室外Ｏの負圧とを異なる面で受けている。しかも、リブガラス７には、ボルトを挿通するための貫通孔が形成されていない。したがって、リブガラス７としてフロートガラス等の安価な板ガラスを用いることができる。
【００２４】
また、載置部材８及び保持部材９が支持部材１４及び可動部材１３を介して中間部材１２（方立本体）に左右方向へ移動可能に支持されているから、地震等によって建築物に層間変位が発生した場合には、リブガラス７の上端部又は下端部が層間変位に追随して左右方向へ変位することができる。よって、リブガラス７が層間変位によって破断されるのを防止することができる。
【００２５】
【発明の効果】
以上説明したように、この発明によれば、リブガラスとしてフロートガラス等の安価なガラスを用いることができるという効果が得られる。
【図面の簡単な説明】
【図１】この発明が採用された建築物の一部を示す正面図である。
【図２】同建築物の一部を示す側断面図である。
【図３】図１のＸ−Ｘ線に沿う拡大断面図である。
【図４】図１のＹ−Ｙ線に沿う拡大断面図である。
【図５】図３のＸ−Ｘ線に沿う断面図である。
【図６】図３のＹ−Ｙ線に沿う断面図である。
【図７】図４のＸ−Ｘ線に沿う断面図である。
【図８】図５のＸ−Ｘ線に沿う断面図である。
【符号の説明】
１  方立
７  リブガラス
８  載置部材（載置部）
９  保持部材（保持部）
１１  固定部材（方立本体）
１２  中間部材（方立本体）
１３  可動部材
１４  支持部材
９１  収容部
【図１】
0004330769.tif 000002
【図２】
0004330769.tif 000003
【図３】
0004330769.tif 000004
【図４】
0004330769.tif 000005
【図５】
0004330769.tif 000006
【図６】
0004330769.tif 000007
【図７】
0004330769.tif 000008
【図８】
0004330769.tif 000009